(57)【特許請求の範囲】
【請求項１】
カードの挿入口が形成されるカード挿入部を備えるカードリーダにおいて、
前記挿入口に挿入される前記カードの挿入方向側を奥側とし、前記カードの挿入方向側の反対側を前側とすると、前記カードリーダの前方の人間の動きを検知するための人体検知用の赤外線センサを備え、
前記カード挿入部には、前記カード挿入部の前端から奥側に向かって切り欠かれた切欠部が形成され、
前記赤外線センサは、前記切欠部に臨むように配置されていることを特徴とするカードリーダ。
【請求項２】
前記赤外線センサは、遠赤外線センサであることを特徴とする請求項１記載のカードリーダ。
【請求項３】
前記赤外線センサは、前記切欠部の奥端に臨むように配置されていることを特徴とする請求項１または２記載のカードリーダ。
【請求項４】
前記カード挿入部には、前側に向かって突出する２個の突出部が形成され、
２個の前記突出部は、前記挿入口に挿入される前記カードの厚さ方向と前記カードの挿入方向とに直交する前記カードの幅方向に間隔をあけた状態で形成され、
２個の前記突出部の間が前記切欠部となっていることを特徴とする請求項１から３のいずれかに記載のカードリーダ。
【請求項５】
前記赤外線センサが接続される制御部を備え、
前記制御部は、前記赤外線センサが受光する赤外線の強度の、所定時間ごとの変化量に基づいて、前記カードリーダの前方の人間の動きを検知することを特徴とする請求項１から４のいずれかに記載のカードリーダ。
【請求項６】
前記カードが通過するカード通過路を閉鎖するためのシャッタ機構と、前記赤外線センサおよび前記シャッタ機構が接続される制御部とを備え、
前記制御部は、前記赤外線センサでの検知結果に基づいて、前記シャッタ機構を制御することを特徴とする請求項１から５のいずれかに記載のカードリーダ。
【請求項７】
前記挿入口に前記カードが挿入されたことを検知するための挿入検知機構を備え、
前記挿入検知機構は、前記制御部に接続され、
前記挿入口に前記カードが挿入される前の待機時には、前記シャッタ機構は、前記カード通過路を閉鎖し、
前記制御部は、前記挿入検知機構での検知結果に基づいて前記挿入口に前記カードが挿入されたことを検知するとともに、前記赤外線センサでの検知結果に基づいて前記カードリーダの前方の人間の動きを検知すると、前記シャッタ機構による前記カード通過路の閉鎖状態を解除して前記カード通過路を開放することを特徴とする請求項６記載のカードリーダ。
【請求項８】
カードの挿入口が形成されるカード挿入部を備えるカードリーダにおいて、
前記挿入口に挿入される前記カードの挿入方向側を奥側とし、前記カードの挿入方向側の反対側を前側とすると、前記カードリーダの前側の人間の動きを検知するための人体検知用の赤外線センサと、前記カードの挿入方向と直交するカード幅方向において前記カード挿入部の少なくとも一端側に設けられるとともに、前記カード挿入部の前側に向かって突出する突出部とを備え、
前記突出部は、前記カードリーダの利用者が前記カードを掴むための掴み代を形成し、
前記赤外線センサの検知領域は、前記カード幅方向において前記カード挿入部の少なくとも一端側が前記突出部によって制限されていることを特徴とするカードリーダ。
【請求項９】
前記突出部は、前記カード幅方向において前記カード挿入部の両端側に形成され、前記赤外線センサの検知領域は、前記カード幅方向において前記カード挿入部の両端側が前記突出部によって制限されていることを特徴とする請求項８記載のカードリーダ。
【請求項１０】
前記挿入口に前記カードが挿入されたことを検知するための挿入検知機構と、
前記赤外線センサおよび前記挿入検知機構が接続される制御部とを備え、
前記制御部は、前記赤外線センサが受光する赤外線の強度の、所定時間ごとの変化量に基づいて、前記カードリーダの前方の人間の動きを検知するとともに、
前記制御部は、前記挿入検知機構での検知結果に基づいて前記挿入口に前記カードが挿入されたことを検知したときに、前記赤外線センサでの検知結果に基づいて前記カードリーダの前方の人間の動きを検知しない場合、前記掴み代を覆う異物が存在すると判断することを特徴とする請求項８または９に記載のカードリーダ。
【発明の詳細な説明】
【技術分野】
【０００１】
本発明は、カードに記録されたデータの読取りやカードへのデータの記録を行うカードリーダに関する。
【背景技術】
【０００２】
従来、ユーザが手動でカードを移動させながら、カードに記録された磁気データの読取りやカードへの磁気データの記録を行う手動式のカードリーダが知られている（たとえば、特許文献１参照）。特許文献１に記載のカードリーダは、図４に示すように、カード１０１の挿入口１０２が形成されるカード挿入部１０３を備えている。カード挿入部１０３は、上下方向から見たときの形状が略Ｕ形状となるように形成されており、前側に突出する２個の突出部１０３ａを備えている。２個の突出部１０３ａは、所定の間隔をあけた状態で形成されており、２個の突出部１０３ａの間は、カード挿入部１０３の前端から奥側に向かって切り欠かれた切欠部１０３ｂとなっている。【０００３】
特許文献１に記載のカードリーダでは、カードリーダの内部の奥端までカード１０１が挿入された状態においてもカード１０１の端部をユーザが掴むことができるように、カードリーダの内部の奥端までカード１０１が挿入されたときに、切欠部１０３ｂにおいてカード１０１の一部が露出する。そのため、このカードリーダでは、ユーザは、カード１０１の端部を掴んだ状態で、カードリーダの内部の奥端までカード１０１を挿入することができるとともに、カードリーダの内部の奥端まで挿入されたカード１０１をカードリーダから抜き取ることができる。【０００４】
また、特許文献１に記載のカードリーダは、図４に示すように、カードリーダの前方の人間の動きを検知するための人体検知用の赤外線センサ１０４を備えている。赤外線センサ１０４は、カード挿入部１０３の前面に配置されている。また、このカードリーダは、カードリーダの内部に挿入されたカード１０１の抜取りを防止するための抜取り防止レバー（図４では図示省略）と、カード挿入部１０３の前面側に金属材料を含む異物が取り付けられたことを検知するための金属センサ（図４では図示省略）とを備えている。【０００５】
特許文献１に記載のカードリーダでは、カード１０１が挿入される前の待機時には、カード１０１が通過するカード通過路が抜取り防止レバーによって閉鎖されており、カードリーダへのカード１０１の挿入ができない状態となっている。この状態で、金属センサが金属部材を検知しておらず、かつ、赤外線センサ１０４が人間の動きを検知すると、抜取り防止レバーがカード通過路を開放してカード１０１が挿入可能な状態となる。
【先行技術文献】
【特許文献】
【０００６】
【特許文献１】国際公開第２０１１／０９３３４０号
【発明の概要】
【発明が解決しようとする課題】
【０００７】
近年、カードリーダが利用される業界においては、犯罪者がカードリーダの内部からのカードの抜取りを妨害するための何らかの仕掛けをして、カードを不正に取得するいわゆるフィッシングが大きな問題となっている。特許文献１に記載のカードリーダにおいてフィッシングを行うための仕掛けとしては、たとえば、図４に示すように、カード挿入部１０３の前面側に取り付けられるフィッシング用の部材１０６、１０７が考えられる。【０００８】
具体的には、フィッシング用の仕掛けとして、図４（Ａ）に示すように、カードリーダの内部に挿入されたカード１０１の端部をユーザが掴めなくなるように、カード挿入部１０３の前面の全体を覆うように形成される部材１０６が考えられる。また、特許文献１に記載のカードリーダのように、カード挿入部１０３に切欠部１０３ｂが形成されている場合には、切欠部１０３ｂのみを埋めることでも、カードリーダの内部に挿入されたカード１０１の端部をユーザは掴めなくなるため、フィッシング用の仕掛けとして、図４（Ｂ）に示すように、カードリーダの内部に挿入されたカード１０１の端部をユーザが掴めなくなるように、カード挿入部１０３の切欠部１０３ｂのみを埋めるように形成される部材１０７が考えられる。【０００９】
特許文献１に記載のカードリーダにおいて、カード挿入部１０３に部材１０６が取り付けられても、赤外線センサ１０４が部材１０６に覆われるため、赤外線センサ１０４によってカードリーダの前方の人間の動きを検知することができなくなる場合がある。したがって、この場合には、カードリーダへのカード１０１の挿入ができない状態を維持することが可能になり、その結果、フィッシングを阻止することが可能になる。【００１０】
一方で、特許文献１に記載のカードリーダにおいて、カード挿入部１０３に部材１０７が取り付けられた場合には、赤外線センサ１０４が部材１０７に覆われないため、赤外線センサ１０４によってカードリーダの前方の人間の動きを検知することができる。また、部材１０７が金属以外の材料で形成されている場合には、金属センサが金属部材を検知しない。したがって、この場合には、カード通過路が開放されて、カードリーダへのカード１０１の挿入が可能な状態となり、フィッシングを阻止することができなくなるおそれがある。【００１１】
そこで、本発明の課題は、カードの挿入口が形成されるカード挿入部を備えるカードリーダにおいて、奥側に向かって切り欠かれた切欠き部が形成されるカード挿入部にフィッシング用の部材が取り付けられても、フィッシングを阻止することが可能なカードリーダを提供することにある。
【課題を解決するための手段】
【００１２】
上記の課題を解決するため、本発明のカードリーダは、カードの挿入口が形成されるカード挿入部を備えるカードリーダにおいて、挿入口に挿入されるカードの挿入方向側を奥側とし、カードの挿入方向側の反対側を前側とすると、カードリーダの前方の人間の動きを検知するための人体検知用の赤外線センサを備え、カード挿入部には、カード挿入部の前端から奥側に向かって切り欠かれた切欠部が形成され、赤外線センサは、切欠部に臨むように配置されていることを特徴とする。【００１３】
本発明のカードリーダでは、カード挿入部の前端から奥側に向かって切り欠かれた切欠部に臨むように赤外線センサが配置されている。そのため、本発明では、たとえば、上述の部材１０６、１０７のどちらがカード挿入部に取り付けられる場合であっても、赤外線センサによるカードリーダ前方の人間の動きの検知ができなくなるようにすることが可能になる。また、本発明では、赤外線センサによってカードリーダ前方の人間の動きが検知できなかった場合に、カードが通過するカード通過路の閉鎖状態を維持する等の所定の処理を行うことで、フィッシングを阻止することが可能になる。したがって、本発明では、奥側に向かって切り欠かれた切欠部が形成されるカード挿入部にフィッシング用の部材が取り付けられても、フィッシングを阻止することが可能になる。【００１４】
本発明において、赤外線センサは、遠赤外線センサであることが好ましい。近赤外線等の、遠赤外線以外の赤外線は、遠赤外線と比較して樹脂等の金属以外の材料を透過しやすいが、遠赤外線は、樹脂等の金属以外の材料に吸収されやすい。そのため、たとえば、部材１０６、１０７が樹脂等の金属以外の材料で形成されていても、赤外線センサが遠赤外線センサである場合には、部材１０６、１０７がカード挿入部に取り付けられたときに、赤外線センサによるカードリーダ前方の人間の動きの検知ができなくなるようにすることが可能になる。したがって、赤外線センサが遠赤外線センサである場合には、フィッシング用の部材が樹脂等の金属以外の材料で形成されていても、フィッシングを阻止することが可能になる。【００１５】
本発明において、赤外線センサは、切欠部の奥端に臨むように配置されていることが好ましい。このように構成すると、切欠部の奥端側のみに配置されるようにフィッシング用の部材が形成されていても、フィッシング用の部材がカード挿入部に取り付けられたときに、赤外線センサによるカードリーダ前方の人間の動きの検知ができなくなるようにすることが可能になる。したがって、フィッシングを効果的に阻止することが可能になる。【００１６】
本発明において、たとえば、カード挿入部には、前側に向かって突出する２個の突出部が形成され、２個の突出部は、挿入口に挿入されるカードの厚さ方向とカードの挿入方向とに直交するカードの幅方向に間隔をあけた状態で形成され、２個の突出部の間が切欠部となっている。【００１７】
本発明において、カードリーダは、赤外線センサが接続される制御部を備え、制御部は、赤外線センサが受光する赤外線の強度の、所定時間ごとの変化量に基づいて、カードリーダの前方の人間の動きを検知することが好ましい。このように構成すると、フィッシング用の部材に一定量の赤外線を放射する機構が設けられていても、このフィッシング用の部材がカード挿入部に取り付けられたときに、赤外線センサによるカードリーダ前方の人間の動きの検知ができなくなるようにすることが可能になる。したがって、フィッシングを効果的に阻止することが可能になる。【００１８】
本発明において、たとえば、カードリーダは、カードが通過するカード通過路を閉鎖するためのシャッタ機構と、赤外線センサおよびシャッタ機構が接続される制御部とを備え、制御部は、赤外線センサでの検知結果に基づいて、シャッタ機構を制御する。この場合には、カードリーダは、挿入口にカードが挿入されたことを検知するための挿入検知機構を備え、挿入検知機構は、制御部に接続され、挿入口にカードが挿入される前の待機時には、シャッタ機構は、カード通過路を閉鎖し、制御部は、挿入検知機構での検知結果に基づいて挿入口にカードが挿入されたことを検知するとともに、赤外線センサでの検知結果に基づいてカードリーダの前方の人間の動きを検知すると、シャッタ機構によるカード通過路の閉鎖状態を解除してカード通過路を開放することが好ましい。このように構成すると、カード挿入部にフィッシング用の部材が取り付けられており、赤外線センサによってカードリーダ前方の人間の動きが検知できなかった場合には、挿入口にカードが挿入されたことが検知されても、カード通過路の閉鎖状態が維持されて、カードリーダにカードを挿入することができない。したがって、フィッシングを確実に阻止することが可能になる。【００１９】
本発明のカードリーダは、カードの挿入口が形成されるカード挿入部を備えるカードリーダにおいて、挿入口に挿入されるカードの挿入方向側を奥側とし、カードの挿入方向側の反対側を前側とすると、カードリーダの前側の人間の動きを検知するための人体検知用の赤外線センサと、カードの挿入方向と直交するカード幅方向においてカード挿入部の少なくとも一端側に設けられるとともに、カード挿入部の前側に向かって突出する突出部とを備え、突出部は、カードリーダの利用者がカードを掴むための掴み代を形成し、赤外線センサの検知領域は、カード幅方向においてカード挿入部の少なくとも一端側が突出部によって制限されていることを特徴とする。
【００２０】
本発明のカードリーダでは、赤外線センサの検知領域は、カード幅方向においてカード挿入部の少なくとも一端側が突出部によって制限されている。そのため、本発明では、カードの掴み代にフィッシング用の部材が取り付けられた場合に、赤外線センサによるカードリーダ前方の人間の動きの検知ができなくなるようにすることが可能になる。したがって、赤外線センサによってカードリーダ前方の人間の動きが検知できなかった場合に、掴み代にフィッシング用の部材が存在することを効果的に判断することができ、フィッシングを阻止することが可能になる。【００２１】
本発明において、たとえば、突出部は、カード幅方向においてカード挿入部の両端側に形成され、赤外線センサの検知領域は、カード幅方向においてカード挿入部の両端側が突出部によって制限されている。【００２２】
本発明において、挿入口にカードが挿入されたことを検知するための挿入検知機構と、赤外線センサおよび挿入検知機構が接続される制御部とを備え、制御部は、赤外線センサが受光する赤外線の強度の、所定時間ごとの変化量に基づいて、前記カードリーダの前方の人間の動きを検知するとともに、制御部は、挿入検知機構での検知結果に基づいて挿入口にカードが挿入されたことを検知したときに、赤外線センサでの検知結果に基づいて前記カードリーダの前方の人間の動きを検知しない場合、掴み代を覆う異物が存在すると判断することが好ましい。このように構成すると、カードリーダのユーザがカードを挿入しようとしているときに、掴み代を覆う異物が存在すると判断した場合、カードが通過するカード通過路の閉鎖状態を維持する等の所定の処理を行うことで、カード挿入口へのカードの挿入を阻止することが可能となる。したがって、本発明では、カードの掴み代にフィッシング用の部材が取り付けられた場合にフィッシングを阻止することが可能となる。
【発明の効果】
【００２３】
以上のように、本発明では、カードの挿入口が形成されるカード挿入部を備えるカードリーダにおいて、奥側に向かって切り欠かれた切欠き部が形成されるカード挿入部にフィッシング用の部材が取り付けられても、フィッシングを阻止することが可能になる。
【図面の簡単な説明】
【００２４】
【図１】本発明の実施の形態にかかるカードリーダの概略構成を説明するための平面図である。
【図２】図１に示すカードリーダのカード挿入動作に関連する構成を示すブロック図である。
【図３】図１に示すカードリーダにフィッシング用の部材が取り付けられたときの状態を示す平面図である。
【図４】従来技術にかかるカードリーダの問題点を説明するための図である。
【発明を実施するための形態】
【００２５】
以下、図面を参照しながら、本発明の実施の形態を説明する。
【００２６】
（カードリーダの概略構成）
図１は、本発明の実施の形態にかかるカードリーダ１の概略構成を説明するための平面図である。図２は、図１に示すカードリーダ１のカード挿入動作に関連する構成を示すブロック図である。
【００２７】
本形態のカードリーダ１は、カード２に記録されたデータの読取やカード２へのデータの記録を行うための装置であり、所定の上位装置に搭載されて使用される。また、カードリーダ１は、カードリーダ１へのカード２の挿入とカードリーダ１からのカード２の抜取りとが手動で行われる手動式のカードリーダである。具体的には、カードリーダ１は、いわゆるディップ式のカードリーダである。このカードリーダ１は、カード２の挿入口３が形成されるカード挿入部４と、本体部５とを備えている。カードリーダ１の内部には、カード２が通過するカード通過路が形成されている。このカード通過路は、挿入口３に繋がるように形成されている。また、カードリーダ１は、カードリーダ１に挿入されたカード２の抜取りを防止する抜取り防止レバー６と、カードリーダ１の制御部７とを備えている。
【００２８】
本形態では、図１のＸ方向にカード２が通過する。具体的には、図１のＸ１方向にカード２が挿入され、図１のＸ２方向にカード２が抜き取られる。すなわち、Ｘ１方向は、挿入口３に挿入されるカード２の挿入方向であり、Ｘ２方向は、カード２の抜取方向である。また、Ｘ方向に直交する図１のＺ方向は、挿入口３に挿入されたカード２の厚さ方向であり、Ｘ方向およびＺ方向に直交する図１のＹ方向は、挿入口３に挿入されたカード２の幅方向（短手幅方向）である。なお、以下の説明では、Ｘ１方向側を「奥（後ろ）」側、Ｘ２方向側を「前」側とする。また、Ｘ方向を前後方向、Ｙ方向を左右方向、Ｚ方向を上下方向とする。
【００２９】
カード２は、たとえば、厚さが０．７〜０．８ｍｍ程度の矩形状の塩化ビニール製のカードである。カード２には、ＩＣチップが内蔵されており、カード２の表面には、ＩＣチップの外部接続端子が形成されている。また、カード２には、磁気データが記録される磁気ストライプが形成されている。すなわち、本形態のカード２は、磁気ストライプ付きの接触式ＩＣカードである。なお、カード２は、非接触式ＩＣカードであっても良い。また、カード２には、ＩＣチップが内蔵されていなくても良いし、磁気ストライプが形成されていなくても良い。また、カード２は、厚さが０．１８〜０．３６ｍｍ程度のＰＥＴ（ポリエチレンテレフタレート）カードであっても良いし、所定の厚さの紙カード等であっても良い。
【００３０】
本体部５の内部には、カード２に記録された磁気データの読取やカード２への磁気データの記録を行うための磁気ヘッド（図示省略）と、カード２の外部接続端子に接触してＩＣチップと通信を行うためのＩＣ接点を有するＩＣ接点ブロック（図示省略）とが配置されている。カード挿入部４は、本体部５の前端に固定されており、カードリーダ１の前側部分を構成している。カード挿入部４の具体的な構成については後述する。
【００３１】
抜取り防止レバー６は、図示を省略する固定軸に回動可能に支持されている。この固定軸は、その軸方向と左右方向とが一致するように、本体部５のフレームに固定されている。また、抜取り防止レバー６は、固定軸を中心に抜取り防止レバー６を回動させるレバー駆動機構８に連結されている。レバー駆動機構８は、ソレノイド等の駆動源（図示省略）や駆動源の動力を抜取り防止レバー６に伝達する動力伝達機構（図示省略）等を備えている。レバー駆動機構８（具体的には、レバー駆動機構８を構成する駆動源）は、制御部７に接続されている。
【００３２】
抜取り防止レバー６の前端側部分は、カード挿入部４の内部に配置されている。抜取り防止レバー６は、抜取り防止レバー６の前端側部分がカード通過路を閉鎖する閉鎖位置と、抜取り防止レバー６の前端側部分がカード通過路の閉鎖状態を解除してカード通過路を開放する開放位置との間で回動可能となっている。本形態では、抜取り防止レバー６とレバー駆動機構８とによって、カード通過路を閉鎖するためのシャッタ機構が構成されている。
【００３３】
（カード挿入部の構成）
カード挿入部４は、前側に向かって突出する２個の突出部４ａ、４ｂを備えている。２個の突出部４ａ、４ｂは、左右方向に所定の間隔をあけた状態で形成されている。本形態では、突出部４ａ、４ｂは、左右方向におけるカード挿入部４の両端側のそれぞれに配置されており、カード挿入部４は、上下方向から見たときの形状が略Ｕ形状となるように形成されている。
【００３４】
２個の突出部４ａ、４ｂの間は、カード挿入部４の前端から奥側に向かって切り欠かれた切欠部４ｃとなっている。すなわち、カード挿入部４には、カード挿入部４の前端から奥側に向かって切り欠かれた切欠部４ｃ（すなわち、カード挿入部４の前端から奥側に向かって窪む凹部）が形成されている。切欠部４ｃは、上下方向から見たときにその前端側が開口する略四角溝状あるいは略Ｕ形状となるように形成されている。切欠部４ｃの左右方向の幅は、カードリーダ１のユーザの指が入る広さとなっている。すなわち、切欠部４ｃによって形成される空間がカード２の掴み代となる。カード２がカード挿入部４へ挿入された状態では切欠部４ｃからカード２の端部の一部が露出し、ユーザがカードを掴みやすくなる。カードリーダ１のユーザは掴み代に指を入れてカード２を掴み、カード２の挿入および引抜きを行う。
【００３５】
カード挿入部４の内部には、挿入口３にカード２が挿入されたことを検知するためのカード挿入センサ１１およびカード挿入検知レバー（図示省略）が配置されている。カード挿入センサ１１は、たとえば、発光素子と受光素子とを備える光学式のセンサである。カード挿入センサ１１は、制御部７に接続されている。カード挿入検知レバーは、たとえば、挿入口３に挿入されたカード２の奥端側が接触する位置に配置されている。
【００３６】
本形態では、挿入口３にカード２が挿入されると、カード挿入検知レバーが回動して、カード挿入センサ１１の発光素子と受光素子との間を遮るため、カード挿入センサ１１での検知結果に基づいて、挿入口３にカード２が挿入されたことが検知される。すなわち、制御部７は、カード挿入センサ１１での検知結果に基づいて、挿入口３にカード２が挿入されたことを検知する。また、本形態では、カード挿入センサ１１とカード挿入検知レバーとによって、挿入口３にカード２が挿入されたことを検知するための挿入検知機構が構成されている。なお、たとえば、上下方向でカード通過路を挟むように配置される発光素子と受光素子とを有する光学式のセンサによって、挿入口３にカード２が挿入されたことを検知するための挿入検知機構が構成されても良い。
【００３７】
また、カード挿入部４の内部には、カードリーダ１の前方の人間の動きを検知するための人体検知用の赤外線センサ１２が配置されている。赤外線センサ１２は、切欠部４ｃに臨むように配置されている。本形態では、赤外線センサ１２は、切欠部４ｃの奥端に臨むように配置されている。具体的には、カード挿入部４の、切欠部４ｃの奥端に開口部が形成されており、この開口部に赤外線センサ１２の受光部が配置されている。また、赤外線センサ１２は、カード通過路の上側または下側に配置されている。また、赤外線センサ１２の検知領域は、突出部４ａ、４ｂによって、左右方向において制限されていて、切欠部４ｃの略前側に向かって広がっている。
【００３８】
赤外線センサ１２は、たとえば、焦電型の赤外線センサであり、焦電効果によって赤外線を含む光を検知する焦電素子を備えている。また、本形態の赤外線センサ１２は、物体が放射する遠赤外線を検知する遠赤外線センサである。赤外線センサ１２は、制御部７に接続されている。この赤外線センサ１２は、カードリーダ１の前方の物体が放射する赤外線（具体的には、遠赤外線）に基づいて、カードリーダ１の前方の物体の温度と赤外線センサ１２の検知範囲内における物体の周囲の温度との差を検知する。
【００３９】
制御部７は、赤外線センサ１２での検知結果に基づいて、カードリーダ１の前方の人間の動きを検知する。具体的には、制御部７は、カードリーダ１の前方の物体の温度と赤外線センサ１２の検知範囲内における物体の周囲の温度との差の、所定時間ごとの変化量に基づいて、カードリーダ１の前方で人間が動いているのか否かを検知する。すなわち、制御部７は、赤外線センサ１２が受光する赤外線（具体的には、遠赤外線）の強度の、所定時間ごとの変化量に基づいて、カードリーダ１の前方で人間が動いているのか否かを検知する。
【００４０】
（カードリーダのカード挿入動作）
以上のように構成されたカードリーダ１では、挿入口３にカード２が挿入される前の待機時には、抜取り防止レバー６がカード通過路を閉鎖しており、カードリーダ１へのカード２の挿入ができない状態となっている。この状態で、カード挿入センサ１１での検知結果に基づいて挿入口３にカード２が挿入されたことが検知されるとともに、赤外線センサ１２での検知結果に基づいてカードリーダ１の前方の人間の動きが検知されると、制御部７は、レバー駆動機構８を駆動し、抜取り防止レバー６によるカード通過路の閉鎖状態を解除してカード通過路を開放する。カード通過路が開放されると、カードリーダ１の内部へのカード２の挿入が可能な状態となる。
【００４１】
ここで、カードリーダ１の内部の奥端まで挿入されたカード２の端部をユーザが掴めなくなるように、犯罪者によって、たとえば、図３に示すフィッシング用の部材２１〜２３がカード挿入部４の前面側に取り付けられると、赤外線センサ１２が部材２１〜２３に覆われるため、赤外線センサ１２によってカードリーダ１の前方の人間の動きを検知することができなくなる。本形態では、カード挿入センサ１１での検知結果に基づいて挿入口３にカード２が挿入されたことが検知されても、赤外線センサ１２での検知結果に基づいてカードリーダ１の前方の人間の動きが検知されなければ、制御部７は、抜取り防止レバー６によるカード通過路の閉鎖状態を維持する。
【００４２】
すなわち、本形態では、カード挿入センサ１１での検知結果に基づいて挿入口３にカード２が挿入されたことが検知されても、赤外線センサ１２での検知結果に基づいてカードリーダ１の前方の人間の動きが検知されなければ、制御部７は、カード挿入部４の前面側にフィッシング用の部材２１〜２３が取り付けられたと判断して、ユーザによるカードリーダ１の内部へのカード２の挿入を阻止する。また、この場合には、制御部７は、たとえば、上位装置に対して異常が発生したことを知らせる異常信号を送信する。異常信号を受信した上位装置は、たとえば、上位装置のディスプレイに異常が発生している旨を表示したり、ブザーを鳴らしたりする等の所定の動作を行って、ユーザに異常が発生していることを知らせる。
【００４３】
なお、部材２１は、図３（Ａ）に示すように、カード挿入部４の前面の全体を覆うとともに切欠部４ｃを埋めるように形成されている。部材２２は、図３（Ｂ）に示すように、切欠部４ｃを埋める部分を備えていないがカード挿入部４の前面の全体を覆うように形成されている。部材２３は、図３（Ｃ）に示すように、切欠部４ｃのみを埋めるように形成されている。
【００４４】
（本形態の主な効果）
以上説明したように、本形態では、カード挿入部４の前端から奥側に向かって切り欠かれた切欠部４ｃに臨むように赤外線センサ１２が配置されている。そのため、本形態では、たとえば、フィッシング用の部材２１〜２３のいずれの部材がカード挿入部４の前面側に取り付けられた場合であっても、上述のように、赤外線センサ１２によってカードリーダ１の前方の人間の動きを検知することができなくなる。また、本形態では、カード挿入センサ１１での検知結果に基づいて挿入口３にカード２が挿入されたことが検知されても、赤外線センサ１２での検知結果に基づいてカードリーダ１の前方の人間の動きが検知されなければ、制御部７は、抜取り防止レバー６によるカード通過路の閉鎖状態を維持して、ユーザによるカードリーダ１の内部へのカード２の挿入を阻止する。また、カード挿入センサ１１での検知結果に基づいて挿入口３にカード２が挿入されたことが検知されても、赤外線センサ１２での検知結果に基づいてカードリーダ１の前方の人間の動きが検知されなければ、制御部７は、上位装置に対して異常が発生したことを知らせる異常信号を送信し、異常信号を受信した上位装置は、所定の動作を行って、ユーザに異常が発生していることを知らせる。したがって、本形態では、フィッシングを阻止することが可能になる。すなわち、赤外線センサ１２によってカードリーダ１の前側の人間の動きが検知できなかった場合に、掴み代にフィッシング用の部材が取り付けられていることを効果的に判断することができるので、カード２が通過するカード通過路の閉鎖状態を維持したり、警告を発したりする等の所定の処理を行うことで、フィッシングを阻止することが可能になる。したがって、本形態では、カードの掴み代にフィッシング用の部材が取り付けられてもフィッシングを阻止することが可能となる。
【００４５】
特に本形態では、赤外線センサ１２が切欠部４ｃの奥端に臨むように配置されているため、切欠部４ｃの奥端側のみに配置されるようにフィッシング用の部材が形成されていても、フィッシング用の部材がカード挿入部４に取り付けられたときに、赤外線センサ１２によってカードリーダ１の前方の人間の動きを検知することができなくなる。したがって、本形態では、フィッシングを効果的に阻止することが可能になる。
【００４６】
本形態では、赤外線センサ１２は、遠赤外線センサである。また、近赤外線等の、遠赤外線以外の赤外線は、遠赤外線と比較して樹脂等の金属以外の材料を透過しやすいが、遠赤外線は、樹脂等の金属以外の材料に吸収されやすい。そのため、本形態では、部材２１〜２３が、たとえば、樹脂等の金属以外の材料で形成されていても、部材２１〜２３がカード挿入部４の前面側に取り付けられたときに、赤外線センサ１２によってカードリーダ１の前方の人間の動きを検知することができなくなる。したがって、本形態では、部材２１〜２３が樹脂等の金属以外の材料で形成されていても、フィッシングを阻止することが可能になる。特に、本形態では、赤外線センサ１２の検知領域が、突出部４ａ、４ｂによって、左右方向において制限されていて切欠部４ｃの略前側に向かって広がっているので、切欠部４ｃにおいて人間の動きを検知することができなくなる状況の変化を効果的に判断することが可能になる。
【００４７】
本形態では、制御部７は、赤外線センサ１２が受光する遠赤外線の強度の、所定時間ごとの変化量に基づいて、カードリーダ１の前方で人間が動いているのか否かを検知している。そのため、本形態では、たとえば、フィッシング用の部材２１〜２３に一定量の遠赤外線を放射する機構が設けられていても、部材２１〜２３がカード挿入部４に取り付けられたときに、赤外線センサ１２によってカードリーダ１の前方の人間の動きを検知することができなくなる。したがって、本形態では、フィッシングを効果的に阻止することが可能になる。
【００４８】
（他の実施の形態）
上述した形態は、本発明の好適な形態の一例ではあるが、これに限定されるものではなく本発明の要旨を変更しない範囲において種々変形実施が可能である。
【００４９】
上述した形態では、赤外線センサ１２は、切欠部４ｃの奥端に臨むように配置されているが、赤外線センサ１２は、切欠部４ｃの奥端に臨むように配置されなくても良い。たとえば、赤外線センサ１２は、切欠部４ｃの左右の側面のいずれかに臨むように配置されても良い。
【００５０】
上述した形態では、カード挿入部４の内部に１個の赤外線センサ１２が配置されているが、カード挿入部４の内部に２個以上の赤外線センサ１２が配置されても良い。この場合には、制御部７は、２個以上の赤外線センサ１２の出力に明らかな相違があるときに、カード挿入部４の前面側にフィッシング用の部材２１〜２３が取り付けられたと判断して、ユーザによるカードリーダ１の内部へのカード２の挿入を阻止したり、上位装置に対して異常が発生したことを知らせる異常信号を送信しても良い。
【００５１】
上述した形態では、カード挿入部４は、上下方向から見たときの形状が略Ｕ形状となるように形成されており、カード挿入部４には、前側に突出する２個の突出部４ａ、４ｂが形成されている。この他にもたとえば、カード挿入部４に、１個の突出部が形成されても良い。すなわち、カード挿入部４は、上下方向から見たときの形状が略Ｌ形状または略Ｔ形状となるように形成されても良い。たとえば、カード挿入部４に、突出部４ａが形成されるとともに突出部４ｂが形成されなくても良い。この場合には、カード挿入部４の、突出部４ａが形成されていない部分が切欠部４ｃとなり、この切欠部４ｃに臨むように赤外線センサ１２が配置される。さらに、この場合で、赤外線センサ１２が切欠部４ｃの奥端に臨むように配置される場合は、赤外線センサ１２の検知領域は、上下方向から見たときの突出部４ａが形成されている方向において、突出部４ａによって制限されていて、突出部４ａが形成されていない方向および切欠部４ｃの略前側に向かって広がっている。また、カード挿入部４に３個以上の突出部が形成されても良い。
【００５２】
上述した形態において、赤外線センサに替えて、または、赤外線センサとともに、カード挿入部４の内部に静電容量センサが配置されても良い。この場合には、静電容量センサでの検知結果に基づいて、フィッシング用の部材２１〜２３がカード挿入部４に取り付けられたことを直接、検知することが可能になる。赤外線センサ１２と静電容量センサとを用いれば、フィッシングをより効果的に阻止することが可能になる。
【００５３】
ただし、静電容量センサと部材２１〜２３との距離が離れると、静電容量センサでの検知結果に基づいて部材２１〜２３がカード挿入部４に取り付けられたことを検知することは困難になる。また、静電容量センサの出力信号のレベルは雨水の影響によって変動するため、カードリーダ１が屋外で使用される場合、雨の日等に、部材２１〜２３がカード挿入部４に取り付けられたことを誤検知するおそれがある。さらに、部材２１〜２３は、様々な材料によって様々な形状に形成されることが想定される。そのため、静電容量センサの閾値を外部の状況や想定される不正部材に応じて適切に調整する必要がある。
【００５４】
上述した形態では、赤外線センサ１２は、遠赤外線センサであるが、赤外線センサ１２は、たとえば、反射型の近赤外線センサであっても良い。この場合であっても、フィッシング用の部材２１〜２３が近赤外線を吸収する材料で形成されていれば、部材２１〜２３がカード挿入部４の前面側に取り付けられたときに、赤外線センサ１２によってカードリーダ１の前方の人間の動きを検知することができなくなる。
【００５５】
上述した形態では、制御部７は、赤外線センサ１２が受光する遠赤外線の強度の、所定時間ごとの変化量に基づいて、カードリーダ１の前方で人間が動いているのか否かを検知している。この他にもたとえば、制御部７は、挿入口３にカード２が挿入されたことが検知された時点で赤外線センサ１２が受光する遠赤外線の強度に基づいて、カードリーダ１の前方で人間が動いているのか否かを検知しても良い。
【００５６】
上述した形態は、カードリーダ１は、挿入口３にカード２が挿入されたことを検知するための挿入検知機構として、カード挿入センサ１１およびカード挿入検知レバーを備えているが、カードリーダ１は、挿入検知機構を備えていなくても良い。この場合には、赤外線センサ１２での検知結果に基づいてカードリーダ１の前方の人間の動きが検知されたときに、抜取り防止レバー６によるカード通過路の閉鎖状態を解除してカード通過路を開放すれば良い。
【００５７】
上述した形態は、挿入口３にカード２が挿入される前の待機時に、抜取り防止レバー６がカード通過路を閉鎖している。この他にもたとえば、挿入口３にカード２が挿入される前の待機時に、抜取り防止レバー６がカード通過路を開放していても良い。この場合には、カード挿入センサ１１での検知結果に基づいて挿入口３にカード２が挿入されたことが検知され、かつ、赤外線センサ１２での検知結果に基づいてカードリーダ１の前方の人間の動きが検知されないときに、カードリーダ１の内部の奥端までカード２が挿入されることがある。このときには、カードリーダ１の内部の奥端まで挿入されたカード２が抜き取られないように、抜取り防止レバー６によってカード通過路を閉鎖すれば良い。このようにしても、フィッシングを阻止することが可能になる。
【００５８】
上述した形態では、カードリーダ１は、手動式のカードリーダであるが、本発明が適用されるカードリーダは、カード２の搬送機構を備えるカード搬送式のカードリーダであっても良い。
【符号の説明】
【００５９】
１  カードリーダ
２  カード
３  挿入口
４  カード挿入部
４ａ、４ｂ  突出部
４ｃ  切欠部（掴み代）
６  抜取り防止レバー（シャッタ機構の一部）
７  制御部
８  レバー駆動機構（シャッタ機構の一部）
１１  カード挿入センサ（挿入検知機構の一部）
１２  赤外線センサ
Ｘ１  カードの挿入方向
Ｙ  カードの幅方向
Ｚ  カードの厚さ方向
【図１】
0006472752.tif 000002
【図２】
0006472752.tif 000003
【図３】
0006472752.tif 000004
【図４】
0006472752.tif 000005